(57)【要約】【課題】他の病院で行われた診察内容に関する情報を参照することを可能にする。【解決手段】会計データ表示装置１０１は、複数の病院を含む病院グループに属する第一の病院１２１から第一の患者を指定する操作指示を受け付ける。会計データ表示装置１０１は、病院、患者および日付と対応づけられた会計に関するデータ１１１を記憶した記憶部を参照して、第一の患者と対応づけられている会計データを抽出する。会計データ表示装置１０１は、第一の病院１２１以外の病院と対応づけられた会計データについては、日付に関する項目と診察内容に関する項目を表示対象とし金額に関する項目を表示対象としない。また、会計データ表示装置１０１は、第一の病院１２１と対応づけられた会計データについては、日付に関する項目と診察内容に関する項目と金額に関する項目とを表示対象とする。会計データ表示装置１０１は、表示対象とした会計データ１１２を表示する。【選択図】図１
2016095654.tif 000002
【特許請求の範囲】
【請求項１】
複数の病院を含む病院グループに属する第一の病院から第一の患者を指定する操作指示を受け付け、
前記操作指示を受け付けたことに応じて、前記病院グループに属する病院、患者および日付と対応づけられた会計に関するデータを記憶した記憶部を参照して、前記第一の患者と対応づけられている会計データを抽出し、
抽出した前記会計データのうち、前記第一の病院以外の病院と対応づけられた会計データについては、前記日付に関する項目と診察内容に関する項目を表示対象にするとともに金額に関する項目を表示対象とせず、前記第一の病院と対応づけられた会計データについては、前記日付に関する項目と診察内容に関する項目と金額に関する項目とを表示対象として、抽出した前記会計データを表示する、
処理をコンピュータが実行することを特徴とする病院の会計データ表示方法。
【請求項２】
前記患者は、どうぶつであることを特徴とする請求項１に記載の病院の会計データ表示方法。
【請求項３】
前記表示する処理は、
抽出した前記会計データを、時系列に並べて一覧表示することを特徴とする請求項１または２に記載の病院の会計データ表示方法。
【請求項４】
前記表示する処理は、
抽出した前記会計データを、前記日付を降順にして、最新日付の会計データを一番上に表示することを特徴とする請求項３に記載の病院の会計データ表示方法。
【請求項５】
前記表示する処理は、
抽出した前記会計データを、前記病院グループに属する病院に対応してまとめて表示することを特徴とする請求項１または２に記載の病院の会計データ表示方法。
【請求項６】
複数の病院を含む病院グループに属する第一の病院から第一の患者を指定する操作指示を受け付け、
前記操作指示を受け付けたことに応じて、前記病院グループに属する病院、患者および日付と対応づけられた会計に関するデータを記憶した記憶部を参照して、前記第一の患者と対応づけられている会計データを抽出し、
抽出した前記会計データのうち、前記第一の病院以外の病院と対応づけられた会計データについては、前記日付に関する項目と診察内容に関する項目を表示対象にするとともに金額に関する項目を表示対象とせず、前記第一の病院と対応づけられた会計データについては、前記日付に関する項目と診察内容に関する項目と金額に関する項目とを表示対象として、抽出した前記会計データを表示する、
処理をコンピュータに実行させることを特徴とする病院の会計データ表示プログラム。
【請求項７】
複数の病院を含む病院グループに属する第一の病院から第一の患者を指定する操作指示を受け付け、
前記操作指示を受け付けたことに応じて、前記病院グループに属する病院、患者および日付と対応づけられた会計に関するデータを記憶した記憶部を参照して、前記第一の患者と対応づけられている会計データを抽出し、
抽出した前記会計データのうち、前記第一の病院以外の病院と対応づけられた会計データについては、前記日付に関する項目と診察内容に関する項目を表示対象にするとともに金額に関する項目を表示対象とせず、前記第一の病院と対応づけられた会計データについては、前記日付に関する項目と診察内容に関する項目と金額に関する項目とを表示対象として、抽出した前記会計データを表示する、
制御部を有することを特徴とする病院の会計データ表示装置。
【発明の詳細な説明】
【技術分野】
【０００１】
本発明は、会計データ表示方法、会計データ表示プログラムおよび会計データ表示装置に関する。
【背景技術】
【０００２】
従来、多くの病院では、会計システムを導入し、会計に関する診療明細は電子化されている。また、電子カルテシステムを導入し、カルテを電子データ化している病院もあるが、病院の規模等により、電子カルテシステムを導入していない病院もある。
【０００３】
関連する先行技術としては、例えば、共有サーバ装置が、患者医療データを患者毎に保持し、クライアント装置が、ブラウザを利用して電子カルテ上で各患者の医療に関する情報を示す患者医療データを入力及び参照可能とする技術がある。また、例えば、利用者の意思の有無にかかわらず、任意の時刻に、設定された事項を入力し、蓄積されているデータを利用者の意思の有無にかかわらず読み出し、解析し、データベースに追記し、データベースに蓄積されているデータを選択し、表示する技術がある。
【先行技術文献】
【特許文献】
【０００４】
【特許文献１】特開２００２−１１７１４２号公報
【特許文献２】国際公開第２００５／１２２０３３号公報
【発明の概要】
【発明が解決しようとする課題】
【０００５】
しかしながら、従来技術では、他の病院で行われた診察内容に関する情報を参照することが困難な場合がある。例えば、電子カルテシステムを導入した病院間では、カルテを電子データ化して共有化することによって、他の病院で行われた診察内容を参照することができる。一方、電子カルテシステムを導入しない場合、カルテを共有化して他の病院で行われた診察内容に関する情報を参照することは困難である。
【０００６】
一つの側面では、本発明は、他の病院で行われた診察内容に関する情報を参照することを可能にする会計データ表示方法、会計データ表示プログラムおよび会計データ表示装置を提供することを目的とする。
【課題を解決するための手段】
【０００７】
本発明の一態様によれば、複数の病院を含む病院グループに属する第一の病院から第一の患者を指定する操作指示を受け付け、操作指示を受け付けたことに応じて、病院グループに属する病院、患者および日付と対応づけられた会計に関するデータを記憶した記憶部を参照して、第一の患者と対応づけられている会計データを抽出し、抽出した会計データのうち、第一の病院以外の病院と対応づけられた会計データについては、日付に関する項目と診察内容に関する項目を表示対象にするとともに金額に関する項目を表示対象とせず、第一の病院と対応づけられた会計データについては、日付に関する項目と診察内容に関する項目と金額に関する項目とを表示対象として、抽出した会計データを表示する会計データ表示方法、会計データ表示プログラムおよび会計データ表示装置が提案される。
【発明の効果】
【０００８】
本発明の一側面によれば、他の病院で行われた診察内容に関する情報を参照することを可能にするという効果を奏する。
【図面の簡単な説明】
【０００９】
【図１】図１は、実施の形態にかかる会計データ表示装置１０１の一実施例を示す説明図である。
【図２】図２は、実施の形態にかかる会計データ表示システム２００のシステム構成例を示す説明図である。
【図３】図３は、実施の形態にかかる会計データ表示装置１０１のハードウェア構成例を示すブロック図である。
【図４】図４は、実施の形態にかかる会計データ表示装置１０１の病院管理ＤＢ２１０の一例を示す説明図である。
【図５】図５は、実施の形態にかかる会計データ表示装置１０１の患者管理ＤＢ２２０の一例を示す説明図である。
【図６】図６は、実施の形態にかかる会計データ表示装置１０１の診療明細管理ＤＢ２３０の一例を示す説明図である。
【図７】図７は、実施の形態にかかる会計データ表示装置１０１の患者選択画面７０１の一例を示す説明図である。
【図８】図８は、実施の形態にかかる会計データ表示装置１０１の会計履歴画面８０１の一例を示す説明図である。
【図９】図９は、実施の形態にかかる会計データ表示装置１０１の自病院の診療報酬明細画面９０１の一例を示す説明図である。
【図１０】図１０は、実施の形態にかかる会計データ表示装置１０１の他病院の診療報酬明細画面１００１の一例を示す説明図である。
【図１１】図１１は、実施の形態にかかる会計データ表示装置１０１の機能的構成例を示すブロック図である。
【図１２】図１２は、実施の形態にかかる会計データ表示装置１０１の会計履歴表示手順の一例を示すフローチャートである。
【図１３】図１３は、実施の形態にかかる会計データ表示装置１０１の診療報酬明細表示手順の一例を示すフローチャートである。
【発明を実施するための形態】
【００１０】
以下に図面を参照して、本発明にかかる会計データ表示方法、会計データ表示プログラムおよび会計データ表示装置の実施の形態を詳細に説明する。
【００１１】
（実施の形態）
図１は、実施の形態にかかる会計データ表示装置１０１の一実施例を示す説明図である。図１において、会計データ表示装置１０１は、複数の病院を含む病院グループに属する病院からの操作指示により会計に関するデータから抽出した会計データを表示するコンピュータである。
【００１２】
ここで、会計に関するデータとは、金銭や物品の出納を、貨幣を単位として記録、計算、管理等するためのデータである。例えば、病院において、会計に関するデータは、診察項目、診察項目の単価、数量、請求金額、請求日等を患者毎に記憶するデータである。また、会計データとは、会計に関するデータの全部または一部の項目を含むデータである。
【００１３】
また、病院からの操作指示とは、病院の関係者、例えば、医者、看護師等がコンピュータに対して行う操作指示である。例えば、病院からの操作指示は、病院の関係者が病院の端末にログインして、会計データ表示装置１０１に会計データを表示させる指示である。また、病院の端末は会計データ表示装置１０１であってもよいし、会計データ表示装置１０１と通信可能な端末であってもよい。また、病院グループとは、複数の病院を特定の種類に従いまとめたものである。例えば、病院グループは、ある地域内に存在する病院をまとめたもの、また、経営者が同じ系列病院をまとめたもの等がある。
【００１４】
ここで、病院で診察を受けようとする際、患者は、かかりつけの病院に行く、または、かかりつけの医者からの紹介状を持って病院に行く。この場合、病院の医者は、患者に対する過去の治療内容を、カルテ等から知ることができ、患者に対して適切な診察を行うことができる。
【００１５】
また、例えば旅行先で具合が悪くなった場合などには、初めての病院に行くこともある。この場合、初めて掛かる病院に電子カルテシステムが導入されていれば、初めての病院の医者は、かかりつけの病院の電子カルテを参照でき、適切な診察を行うことができる。電子カルテシステムとは、カルテを電子化することで、病院グループ間でカルテを共有し、病院グループに属する病院からカルテを参照することができるシステムである。
【００１６】
しかしながら、すべての病院が電子カルテシステムを導入しているわけではない。例えば、規模の小さい町病院では、大規模病院よりも電子カルテシステムを導入していない場合が多い。この場合、病院は、カルテを手書きされた紙で管理するため、カルテを他の病院と共有化することが困難である。このため、初めて掛かる病院の医者は、患者の過去の治療内容を、カルテ等から知ることができず、患者に対して適切な診察を行うことができない。
【００１７】
また、病院がどうぶつ病院である場合、患者であるどうぶつ、例えばペットは自分で過去の治療内容を医者に伝えることができない。また、ペットの飼主も、ペットの過去の治療内容を覚えていない場合がある。また、ペットの飼主が複数人いる場合、複数人の一人がどうぶつ病院にペットを連れて行ったときに行われた診療内容を、他の飼主が知らない場合がある。これらの場合も、どうぶつ病院の医者は、患者の過去の治療内容を、カルテ等から知ることができず、患者に対して適切な診察を行うことができない。
【００１８】
一方、多くの病院では、電子カルテシステムと連携したシステムとして、もしくは電子カルテシステムとは別のシステムとして会計システムを導入し、診察項目、診察項目の単価等を電子化して、記録している。ここで、診察項目は、診察内容に関する情報を記憶する項目である。このため、会計システムの診察項目を他の病院から参照し、医者が他の病院の診察を推定することが考えられる。しかしながら、たとえ、病院グループが系列病院のグループであっても、会計は病院毎に行われるものであり、診察項目の単価等の金額に関する項目は、病院毎の収支に直結するため、会計に関するデータは他の病院に開示するものではない。
【００１９】
そこで、実施の形態では、会計データ表示装置１０１は、複数の病院間で共有された会計データのうち、自病院の診察内容と金額、他病院の診察内容の項目を表示し、他病院の金額の項目を表示しない。これにより、収支に関する項目を秘匿しつつ、医者が他病院の診察内容の項目を参照できるようになる。このため、医者が他病院の診察を推定でき、会計データ表示装置１０１は、医療品質を向上させることができる。
【００２０】
以下、会計データ表示装置１０１の会計データの表示について説明する。また、以下の実施の形態の説明では、病院が、どうぶつ病院である場合を例にして説明する。ここで、どうぶつ病院とは、医者の診療対象がどうぶつである病院である。また、以下の実施の形態では、医者の診療対象を患者と呼ぶ。
【００２１】
（１）会計データ表示装置１０１は、複数の病院を含む病院グループに属する特定の病院から特定の患者を指定する操作指示を受け付ける。ここで、特定の患者は、複数の病院を含む病院グループに属するいずれかの病院にて過去に診察を受けた患者である。また、特定の病院からの操作指示は、例えば、特定の病院の関係者が特定の病院内の会計データ表示装置１０１にログインして、会計データを表示させる指示である。また、特定の病院からの操作指示は、例えば、特定の病院の関係者が特定の病院以外の他の病院内の会計データ表示装置１０１に特定の病院のＩＤ（Ｉｄｅｎｔｉｆｉｃａｔｉｏｎ）でログインして、会計データを表示させる指示であることもできる。
【００２２】
図１の例では、○○病院１２１、××病院１２２、他の病院１２３が病院グループを形成し、会計データ表示装置１０１は、病院グループに属する○○病院１２１から、患者名「モコ」を指定する操作指示を受け付ける。
【００２３】
（２）会計データ表示装置１０１は、病院グループに属する病院、患者および日付と対応づけられた会計に関するデータ１１１を記憶した記憶部を参照して、特定の患者と対応づけられている会計データを抽出する。
【００２４】
図１の例では、会計データ表示装置１０１は、病院グループに属する病院の病院名、患者名、作成日、診療項目および金額と対応づけられた会計に関するデータ１１１を記憶した記憶部を参照して、患者名「モコ」と対応づけられている会計データを抽出する。ここで、作成日とは、会計に関するデータを作成した日であり、患者に対して診察が行われた日である。また、診療項目とは、患者に対して行われた診療の項目であり、診療項目毎に金額が設定されている。
【００２５】
（３）会計データ表示装置１０１は、抽出した会計データを表示する。ここで、会計データ表示装置１０１は、特定の病院以外の病院と対応づけられた会計データについては、日付に関する項目と診察内容に関する項目を表示対象にして表示するとともに金額に関する項目を表示対象としない。また、会計データ表示装置１０１は、特定の病院と対応づけられた会計データについては、日付に関する項目と診察内容に関する項目と金額に関する項目とを表示対象として表示する。
【００２６】
図１の例では、会計データ表示装置１０１は、抽出した会計データ１１２を表示する。ここで、会計データ表示装置１０１は、○○病院１２１以外の病院と対応づけられた会計データについては、日付に関する作成日、診察内容に関する診療項目を表示対象にして表示するとともに金額に関する項目を表示対象としない。例えば、××病院１２２の診療項目「皮下点滴」の金額は表示されない。
【００２７】
また、会計データ表示装置１０１は、○○病院１２１と対応づけられた会計データについては、日付に関する作成日と診察内容に関する診療項目と金額に関する項目とを表示対象として表示する。例えば、○○病院１２１の診療項目「注射薬剤料」の金額は表示される。また、図１では、会計データ表示装置１０１は、会計に関するデータ１１１の作成日は患者に対して診察が行われた日であるため、作成日を診察日として表示する。
【００２８】
以上説明したように、会計データ表示装置１０１は、複数の病院を含む病院グループに属する第一の病院から第一の患者を指定する操作指示を受け付ける。受け付けたことに応じて、会計データ表示装置１０１は、病院グループに属する病院、患者および日付と対応づけられた会計に関するデータ１１１を記憶した記憶部を参照して、第一の患者と対応づけられている会計データを抽出する。会計データ表示装置１０１は、抽出した会計データのうち、第一の病院以外の病院と対応づけられた会計データについては、日付に関する項目と診察内容に関する項目を表示対象にするとともに金額に関する項目を表示対象としない。また、会計データ表示装置１０１は、抽出した会計データのうち、第一の病院と対応づけられた会計データについては、日付に関する項目と診察内容に関する項目と金額に関する項目とを表示対象とする。会計データ表示装置１０１は、表示対象とした会計データ１１２を表示する。
【００２９】
これにより、会計データのうち、収支に関する項目を秘匿し、医者が他病院の診察内容の項目を参照できるようになる。このため、会計データ表示装置１０１を利用する医者は、診察内容に関する項目を参照することで他の病院で行われた診察を推定することができ、適切な診察を行うことができる。このため、会計データ表示装置１０１は、医療品質を向上させることができる。
【００３０】
（会計データ表示システム２００のシステム構成例）
図２は、実施の形態にかかる会計データ表示システム２００のシステム構成例を示す説明図である。図２において、会計データ表示システム２００は、会計データ表示装置１０１と、ファイルサーバ２０１と、を含む。会計データ表示システム２００において、会計データ表示装置１０１と、ファイルサーバ２０１とは、有線または無線のネットワーク２４０を介して接続される。ネットワーク２４０は、例えば、ＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）、インターネットなどである。
【００３１】
会計データ表示装置１０１は、使用者からの要求により会計に関するデータを作成、更新し、会計データを表示するコンピュータである。具体的には、例えば、会計データ表示装置１０１は、ＰＣ（パーソナル・コンピュータ）またはサーバ等のコンピュータである。
【００３２】
会計データ表示装置１０１は、病院管理ＤＢ２１０、患者管理ＤＢ２２０および診療明細管理ＤＢ２３０を有する。図１に示した病院グループに属する病院の病院名、患者名、作成日、診療項目および金額と対応づけられた会計に関するデータ１１１は、診療明細管理ＤＢ２３０に対応する。病院管理ＤＢ２１０、患者管理ＤＢ２２０および診療明細管理ＤＢ２３０の記憶内容については、図４、図５および図６を用いて後述する。
【００３３】
ファイルサーバ２０１は、会計データ表示装置１０１からの要求により会計に関するデータを記憶するコンピュータである。具体的には、例えば、ファイルサーバ２０１は、サーバ等のコンピュータである。
【００３４】
ファイルサーバ２０１は、病院管理ＤＢ２１１、患者管理ＤＢ２２１および診療明細管理ＤＢ２３１を有する。病院管理ＤＢ２１１、患者管理ＤＢ２２１および診療明細管理ＤＢ２３１は、ファイルサーバ２０１と会計データ表示装置１０１との間で共有される。病院管理ＤＢ２１１、患者管理ＤＢ２２１および診療明細管理ＤＢ２３１の記憶内容は、それぞれ会計データ表示装置１０１が有する病院管理ＤＢ２１０、患者管理ＤＢ２２０および診療明細管理ＤＢ２３０の記憶内容と同一である。
【００３５】
例えば、ファイルサーバ２０１の各ＤＢと会計データ表示装置１０１の各ＤＢは、一定期間毎に同期処理を行うことにより、記憶内容を同一に保つことができる。また、会計データ表示装置１０１が、病院管理ＤＢ２１０、患者管理ＤＢ２２０および診療明細管理ＤＢ２３０を更新する際、病院管理ＤＢ２１１、患者管理ＤＢ２２１および診療明細管理ＤＢ２３１も同時に更新することで記憶内容を同一に保つことができる。また、会計データ表示装置１０１が、病院管理ＤＢ２１０、患者管理ＤＢ２２０および診療明細管理ＤＢ２３０を参照する際、ファイルサーバ２０１から差分内容を受信することで記憶内容を同一に保つことができる。
【００３６】
また、会計データ表示装置１０１は、病院管理ＤＢ２１０、患者管理ＤＢ２２０および診療明細管理ＤＢ２３０が、病院管理ＤＢ２１１、患者管理ＤＢ２２１および診療明細管理ＤＢ２３１の記憶内容の一部だけを記憶させることができる。例えば、会計データ表示装置１０１は、ファイルサーバ２０１の各ＤＢの過去の一定月分、例えば３ヶ月分の記憶内容を、会計データ表示装置１０１の各ＤＢに記憶させることができる。
【００３７】
また、本実施の形態の会計データ表示システム２００は、会計データ表示装置１０１とファイルサーバ２０１が別々の装置である形態であるが、会計データ表示装置１０１とファイルサーバ２０１とが同じ装置である形態も可能である。この場合、病院の端末は、会計データ表示装置１０１に会計に関するデータを送信して、会計データ表示装置１０１から受信した会計データをディスプレイ等の画面に表示する。
【００３８】
（会計データ表示装置１０１のハードウェア構成例）
図３は、実施の形態にかかる会計データ表示装置１０１のハードウェア構成例を示すブロック図である。図３において、会計データ表示装置１０１は、ＣＰＵ（Ｃｅｎｔｒａｌ  Ｐｒｏｃｅｓｓｉｎｇ  Ｕｎｉｔ）３０１と、メモリ３０２と、Ｉ／Ｆ（Ｉｎｔｅｒｆａｃｅ）３０３と、ディスクドライブ３０４と、ディスク３０５と、ディスプレイ３０６と、を有する。また、各構成部は、バス３００によってそれぞれ接続される。
【００３９】
ここで、ＣＰＵ３０１は、会計データ表示装置１０１の全体の制御を司る。メモリ３０２は、例えば、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）およびフラッシュＲＯＭなどを有する。具体的には、例えば、フラッシュＲＯＭやＲＯＭが各種プログラムを記憶し、ＲＡＭは記憶部としてＣＰＵ３０１のワークエリアとして使用される。メモリ３０２に記憶されるプログラムは、ＣＰＵ３０１にロードされることで、コーディングされている処理をＣＰＵ３０１に実行させる。
【００４０】
Ｉ／Ｆ３０３は、通信回線を通じてＬＡＮ、ＷＡＮ、インターネットなどのネットワーク２４０に接続され、ネットワーク２４０を介して他のコンピュータ（例えば、図２に記載のファイルサーバ２０１）に接続される。そして、Ｉ／Ｆ３０３は、ネットワーク２４０と内部のインターフェースを司り、他のコンピュータからのデータの入出力を制御する。Ｉ／Ｆ３０３には、例えば、モデムやＬＡＮアダプタなどを採用することができる。
【００４１】
ディスクドライブ３０４は、ＣＰＵ３０１の制御に従ってディスク３０５に対するデータのリード／ライトを制御する。ディスク３０５は、ディスクドライブ３０４の制御で書き込まれたデータを記憶する。ディスク３０５としては、例えば、磁気ディスク、光ディスクなどが挙げられる。
【００４２】
ディスプレイ３０６は、カーソル、アイコンあるいはツールボックスをはじめ、文書、画像、機能情報などのデータを表示する。ディスプレイ３０６は、例えば、ＣＲＴ、ＴＦＴ液晶ディスプレイ、プラズマディスプレイなどを採用することができる。また、ディスプレイ３０６は、タッチパネルを備えて、ディスプレイ３０６上のアイコン等の表示を押すことで機器を操作する入力装置であってもよい。
【００４３】
なお、会計データ表示装置１０１は、上述した構成部のほか、例えば、ＳＳＤ（Ｓｏｌｉｄ  Ｓｔａｔｅ  Ｄｒｉｖｅ）、キーボード、マウス、プリンタなどを有することにしてもよい。また、図２に示したファイルサーバ２０１についても、会計データ表示装置１０１と同様のハードウェア構成例により実現することができる。
【００４４】
（病院管理ＤＢ２１０の一例）
図４は、実施の形態にかかる会計データ表示装置１０１の病院管理ＤＢ２１０の一例を示す説明図である。図４において、会計データ表示装置１０１の病院管理ＤＢ２１０は、例えば、会計データ表示装置１０１によって作成、更新され、会計データ表示装置１０１のメモリ３０２またはディスク３０５に記憶される。
【００４５】
病院管理ＤＢ２１０は、病院ＩＤ、病院名および作成日の項目を有する。病院管理ＤＢ２１０は、各項目に情報を設定することで、病院管理情報（例えば、病院管理情報２１０−１〜２１０−２）をレコードとして記憶する。
【００４６】
ここで、病院ＩＤは、病院を識別するための識別子を示す。病院名は、病院ＩＤで識別される病院の名称を示す。作成日は、レコードを作成した日を示す。
【００４７】
図４の例では、レコード２１０−１は、識別子「１００１」の病院の病院名は、「○×○×病院」であり、当該レコードが２０１３年９月２３日に作成されたことを示す。
【００４８】
（患者管理ＤＢ２２０の一例）
図５は、実施の形態にかかる会計データ表示装置１０１の患者管理ＤＢ２２０の一例を示す説明図である。図５において、会計データ表示装置１０１の患者管理ＤＢ２２０は、例えば、会計データ表示装置１０１によって作成、更新され、会計データ表示装置１０１のメモリ３０２またはディスク３０５に記憶される。
【００４９】
患者管理ＤＢ２２０は、飼主名、カルテＮｏ、患者名、患者ＩＤ、種別、品種、性別、最新来院日および作成日の項目を有する。これ以降、病院の例としてどうぶつ病院を用いて説明する。患者管理ＤＢ２２０は、各項目に情報を設定することで、患者管理情報（例えば、患者管理情報２２０−１〜２２０−５）をレコードとして記憶する。
【００５０】
ここで、飼主名は、患者の飼主の名前を示す。例えば、患者は飼主に飼われているペットである。カルテＮｏは、カルテを識別するための識別子を示す。患者名は、患者の名前を示す。患者ＩＤは、患者を識別するための識別子を示す。種別は、犬、猫等の患者の種別を示す。品種は、患者の品種を示す。性別は、患者の性を示す。最新来院日は、患者が最後に来院した日を示す。作成日は、レコードを作成した日を示す。
【００５１】
図５の例では、レコード２２０−１は、患者名「モコ」の飼主が山○○子であり、カルテＮｏが１０４２−０１であり、患者名「モコ」の患者ＩＤが「２００１」であり、患者名「モコ」が柴犬のメスであることを示す。さらに、レコード２２０−１は、患者名「モコ」が最後に来院した日と当該レコードが作成された日が、２０１３年６月２日であることを示す。
【００５２】
（診療明細管理ＤＢ２３０の一例）
図６は、実施の形態にかかる会計データ表示装置１０１の診療明細管理ＤＢ２３０の一例を示す説明図である。図６において、会計データ表示装置１０１の診療明細管理ＤＢ２３０は、例えば、会計データ表示装置１０１によって作成、更新され、会計データ表示装置１０１のメモリ３０２またはディスク３０５に記憶される。
【００５３】
診療明細管理ＤＢ２３０は、病院ＩＤ、患者ＩＤ、診療ＩＤ、診療明細ＩＤ、診療項目、診療区分、単価、数量、計、割引％、割引反映計、表示順および作成日の項目を有する。診療明細管理ＤＢ２３０は、各項目に情報を設定することで、診療明細情報（例えば、診療明細情報２３０−１〜２３０−１３）をレコードとして記憶する。
【００５４】
ここで、病院ＩＤは、病院を識別するための識別子を示す。患者ＩＤは、患者を識別するための識別子を示す。診療ＩＤは、診療を識別するための識別子を示す。診療明細ＩＤは、診療項目を識別するための識別子を示す。診療項目は、診療明細ＩＤで識別される診療項目の名前を示す。診療区分は、診療明細ＩＤで識別される診療項目の区分を示す。
【００５５】
患者ＩＤの患者が、病院ＩＤの病院で診察を受ける毎に診療ＩＤが付与され、診療の際に受けた項目毎に診療明細ＩＤが付与される。
【００５６】
単価は、診療明細ＩＤで識別される診療項目の請求額を示す。単位は、例えば円である。数量は、診療明細ＩＤで識別される診療項目を受けた数を示す。例えば、診療明細ＩＤで識別される診療項目の区分が商品である場合、診療で使用された商品の数を示す。計は、診療明細ＩＤで識別される診療項目の単価と数量の積を示す。割引％は、診療明細ＩＤで識別される診療項目に対する割引のパーセントを示す。割引がない場合は、割引％の項目は０が設定される。割引反映計は、割引が反映された計を示す。表示順は、レコードをディスプレイ３０６に表示する際の表示順を示す。例えば、表示順の数が小さいレコードは、表示順の数が大きいレコードよりディスプレイ３０６の上に表示される。作成日は、レコードを作成した日を示す。例えば、作成日は、患者ＩＤの患者が、病院ＩＤの病院で診察を受けた日を示す。
【００５７】
図６の例では、レコード２３０−１は、病院ＩＤ「１００１」の病院で患者ＩＤ「２００１」の患者が診察を受け、そのときの診療項目は再診であり、診療区分が一般診療であり、再診料は５２５円で割引がないことを示す。さらに、レコード２３０−１は、当該レコードが作成された日が、２０１３年６月２日であることを示す。
【００５８】
（患者選択画面７０１の一例）
図７は、実施の形態にかかる会計データ表示装置１０１の患者選択画面７０１の一例を示す説明図である。図７において、会計データ表示装置１０１の患者選択画面７０１は、病院ＩＤを受け付けたことに応じて表示され、使用者に患者を選択させる画面である。会計データ表示装置１０１の患者選択画面７０１は、例えば、会計データ表示装置１０１によって作成され、会計データ表示装置１０１のディスプレイ３０６に表示される。
【００５９】
患者選択画面７０１は、患者一覧項目７１１および検索項目７１２を有する。ここで、患者一覧項目７１１は、患者管理ＤＢ２２０の項目を表示する。例えば、患者一覧項目７１１は、患者管理ＤＢ２２０の飼主名、カルテＮｏ、患者名、種別、品種、性別、最新来院日の各項目を表示する。検索項目７１２は、患者一覧項目７１１に表示された項目を検索する検索ワードを入力する項目である。
【００６０】
会計データ表示装置１０１は、患者一覧項目７１１に表示された患者名の患者が選択されたことに応じて、選択された患者の会計履歴画面８０１（図８参照）を表示する。会計データ表示装置１０１は、選択を患者名の患者にマウスでクリックされるまたは患者名の患者にタッチされることで検出することができる。例えば、会計データ表示装置１０１は、患者名の患者「モコ」がマウスでクリックされることにより、患者名の患者「モコ」の会計履歴画面８０１を表示する。
【００６１】
（会計履歴画面８０１の一例）
図８は、実施の形態にかかる会計データ表示装置１０１の会計履歴画面８０１の一例を示す説明図である。図８において、会計データ表示装置１０１の会計履歴画面８０１は、患者選択画面７０１で患者名の患者の選択を受け付けたことに応じて表示される。会計データ表示装置１０１の会計履歴画面８０１は、例えば、会計データ表示装置１０１によって作成され、会計データ表示装置１０１のディスプレイ３０６に表示される。
【００６２】
会計履歴画面８０１は、カルテ項目８１１、患者項目８１２、飼主項目８１３および会計履歴項目８１４を有する。ここでカルテ項目８１１は、選択された患者のカルテＮｏを表示する。患者項目８１２は、選択された患者の患者名、種別および性別を表示する。飼主項目８１３は、選択された患者の飼主名を表示する。
【００６３】
会計履歴項目８１４は、選択された患者の会計履歴を表示する。例えば、会計履歴項目８１４は、領収書Ｎｏ、診療日、入金日、請求金額合計、未入金および実施病院の項目を有する。
【００６４】
例えば、領収書Ｎｏには、診療明細管理ＤＢ２３０のレコードのうち、患者ＩＤが選択された患者の患者ＩＤと一致するレコードの診療ＩＤが表示される。また、例えば、診療日には、表示した診療ＩＤのレコードの作成日が表示される。
【００６５】
また、例えば、請求金額合計には、表示した診療ＩＤと診療ＩＤが一致するレコードの計を加算して値が表示される。また、例えば、実施病院には、表示した診療ＩＤのレコードの病院ＩＤに対応する病院名が表示される。また、例えば、入金日には、表示した診療ＩＤの請求金額が入金されている場合、入金された日が表示される。また、例えば、未入金には、入金されていない金額が表示される。
【００６６】
ここで、受け付けた病院ＩＤが、表示した診療ＩＤのレコードの病院ＩＤと一致しない場合、会計に関する項目は表示されない。この場合、例えば、会計履歴項目８１４には、請求金額合計の項目と未入金の項目が表示されない。
【００６７】
図８の例では、会計履歴画面８０１は、患者選択画面７０１で患者名「モコ」が選択され、患者名「モコ」に関する会計履歴を表示する。また、領収書Ｎｏ「２１１３−２１６６２」のレコードは、受け付けた病院ＩＤが、表示した診療ＩＤのレコードの病院ＩＤと一致するため、請求金額合計の項目と未入金の項目が表示される。また、領収書Ｎｏ「２１１３−２１６３５」のレコードは、受け付けた病院ＩＤが、表示した診療ＩＤのレコードの病院ＩＤと一致しないため、請求金額合計の項目と未入金の項目が表示されない。
【００６８】
会計データ表示装置１０１は、会計履歴項目８１４に表示された領収書Ｎｏが選択されたことに応じて、選択された領収書Ｎｏの項目の診療報酬明細画面９０１（図９参照）または診療報酬明細画面１００１（図１０参照）を表示する。会計データ表示装置１０１は、選択を領収書Ｎｏの項目をマウスでクリックされるまたは領収書Ｎｏの項目にタッチされることで検出することができる。
【００６９】
ここで、会計データ表示装置１０１は、受け付けた病院ＩＤが、表示した診療ＩＤのレコードの病院ＩＤと一致するレコードが選択された場合、診療報酬明細画面９０１を表示する。また、会計データ表示装置１０１は、受け付けた病院ＩＤが、表示した診療ＩＤのレコードの病院ＩＤと一致しないレコードが選択された場合、診療報酬明細画面１００１を表示する。例えば、会計データ表示装置１０１は、領収書Ｎｏの「２１１３−２１６６２」がマウスでクリックされることにより、領収書Ｎｏの「２１１３−２１６６２」の診療報酬明細画面９０１を表示する。また、例えば、会計データ表示装置１０１は、領収書Ｎｏの「２１１３−２１６３５」がマウスでクリックされることにより、領収書Ｎｏの「２１１３−２１６３５」の診療報酬明細画面１００１を表示する。
【００７０】
また、クリックまたはタッチされる位置は領収書Ｎｏの項目だけでなく、診療日、入金日、請求金額合計、未入金または実施病院の項目でもよい。この場合、会計データ表示装置１０１は、クリックまたはタッチされる位置のレコードの領収書Ｎｏの診療報酬明細画面９０１または診療報酬明細画面１００１を表示する。
【００７１】
（診療報酬明細画面９０１の一例）
図９は、実施の形態にかかる会計データ表示装置１０１の自病院の診療報酬明細画面９０１の一例を示す説明図である。図９において、会計データ表示装置１０１の診療報酬明細画面９０１は、会計履歴画面８０１で、受け付けた病院ＩＤが表示した診療ＩＤのレコードの病院ＩＤと一致するレコードが選択された場合に表示される。会計データ表示装置１０１の診療報酬明細画面９０１は、例えば、会計データ表示装置１０１によって作成され、会計データ表示装置１０１のディスプレイ３０６に表示される。
【００７２】
診療報酬明細画面９０１は、領収書項目９１１および診療報酬明細項目９１２を有する。ここで領収書項目９１１は、選択された領収書Ｎｏと診療日を表示する。診療報酬明細項目９１２は、選択された領収書Ｎｏ毎の診療報酬の明細を表示する。診療報酬明細項目９１２は、Ｎｏ、診療項目、診療区分、単価、数量、計、割引％および割引反映計の項目を有する。
【００７３】
例えば、Ｎｏには、診療明細管理ＤＢ２３０のレコードのうち、診療ＩＤが選択された領収書Ｎｏと一致するレコードの診療ＩＤが表示される。また、例えば、診療項目、診療区分、単価、数量、計、割引％および割引反映計には、それぞれ表示した診療ＩＤのレコードの診療項目、診療区分、単価、数量、計、割引％および割引反映計が表示される。
【００７４】
ここで、受け付けた病院ＩＤが、表示した診療ＩＤのレコードの病院ＩＤと一致する場合、会計に関する項目が表示される。この場合、例えば、診療報酬明細項目９１２には、単価、数量、計、割引％および割引反映計の各項目が表示される。
【００７５】
図９の例では、診療報酬明細画面９０１は、会計履歴画面８０１で領収書Ｎｏ「２１１３−２１６６２」が選択され、領収書Ｎｏ「２１１３−２１６６２」に関する診療報酬の明細を表示する。ここで、領収書Ｎｏ「２１１３−２１６６２」のレコードは、受け付けた病院ＩＤが、表示した診療ＩＤのレコードの病院ＩＤと一致するため、単価、数量、計、割引％および割引反映計の各項目が表示される。
【００７６】
（診療報酬明細画面１００１の一例）
図１０は、実施の形態にかかる会計データ表示装置１０１の他病院の診療報酬明細画面１００１の一例を示す説明図である。図１０において、会計データ表示装置１０１の診療報酬明細画面１００１は、会計履歴画面８０１で、受け付けた病院ＩＤが表示した診療ＩＤのレコードの病院ＩＤと一致しないレコードが選択された場合に表示される。会計データ表示装置１０１の診療報酬明細画面１００１は、例えば、会計データ表示装置１０１によって作成され、会計データ表示装置１０１のディスプレイ３０６に表示される。
【００７７】
診療報酬明細画面１００１は、領収書項目１０１１および診療報酬明細項目１０１２を有する。ここで、領収書項目１０１１および診療報酬明細項目１０１２は、それぞれ、診療報酬明細画面９０１の領収書項目９１１および診療報酬明細項目９１２と同じ項目が表示される。
【００７８】
ここで、受け付けた病院ＩＤが、表示した診療ＩＤのレコードの病院ＩＤと一致しない場合、会計に関する項目は表示されない。この場合、例えば、診療報酬明細項目１０１２には、単価、数量、計、割引％および割引反映計の各項目が表示されない。
【００７９】
図１０の例では、診療報酬明細画面１００１は、会計履歴画面８０１で領収書Ｎｏ「２１１３−２１６３５」が選択され、領収書Ｎｏ「２１１３−２１６３５」に関する診療報酬の明細を表示する。ここで、領収書Ｎｏ「２１１３−２１６３５」のレコードは、受け付けた病院ＩＤが、表示した診療ＩＤのレコードの病院ＩＤと一致しないため、単価、数量、計、割引％および割引反映計の各項目が表示されない。
【００８０】
（会計データ表示装置１０１の機能的構成例）
次に、図２に示した会計データ表示装置１０１の機能的構成例について説明する。図１１は、実施の形態にかかる会計データ表示装置１０１の機能的構成例を示すブロック図である。図１１において会計データ表示装置１０１は、受付部１１０１と、抽出部１１０２と、会計履歴表示部１１０３と、明細表示部１１０４と、を含む構成である。受付部１１０１と、抽出部１１０２と、会計履歴表示部１１０３と、明細表示部１１０４と、を含む制御部は、具体的には、例えば、図３に示したメモリ３０２などの記憶装置に記憶されたプログラムをＣＰＵ３０１に実行させることにより、その機能を実現する。各機能部の処理結果は、例えば、図３に示したメモリ３０２などの記憶装置に記憶される。
【００８１】
受付部１１０１は、病院ＩＤを受け付ける機能を有する。受付部１１０１は、例えば、会計データ表示装置１０１の利用者がログインをする際に病院ＩＤを入力することにより、病院ＩＤを受け付ける。また、受付部１１０１は、例えば、会計データ表示装置１０１が設置された病院の病院ＩＤを記憶装置に事前に設定しておくことにより、病院ＩＤを受け付けることもできる。受付部１１０１は、受け付けた病院ＩＤを会計履歴表示部１１０３および明細表示部１１０４に通知する。
【００８２】
抽出部１１０２は、患者選択画面７０１を表示し、患者名の選択を受け付ける機能を有する。抽出部１１０２は、患者管理ＤＢ２２０から飼主名、カルテＮｏ、患者名、種別、品種、性別、最新来院日を抽出して、飼主名、カルテＮｏ、患者名、種別、品種、性別、最新来院日を患者選択画面７０１に表示する。また、抽出部１１０２は、患者選択画面７０１に表示された患者名の選択を受け付け、選択された患者名を会計履歴表示部１１０３に通知する。また、抽出部１１０２は、選択された患者名のカルテＮｏ、種別、性別、飼主名を会計履歴表示部１１０３に通知することもできる。
【００８３】
また、抽出部１１０２は、患者選択画面７０１を表示することなく、患者名の選択を受け付ける形態であってもよい。この場合、抽出部１１０２は、例えば、患者名、患者の診察番号等の患者を一意に特定できる情報を、例えばキーボード等から入力されることで患者名の選択を受け付ける。
【００８４】
会計履歴表示部１１０３は、抽出部１１０２から通知された患者名の患者の会計履歴画面８０１を表示し、領収書Ｎｏの選択を受け付ける機能を有する。会計履歴表示部１１０３は、通知された患者名のカルテＮｏ、種別、性別、飼主名を患者管理ＤＢ２２０から抽出して、通知された患者名のカルテＮｏ、種別、性別、飼主名を会計履歴画面８０１に表示する。また、会計履歴表示部１１０３は、抽出部１１０２が患者名のカルテＮｏ、種別、性別、飼主名を通知した場合、患者管理ＤＢ２２０から抽出することなく、通知された患者名のカルテＮｏ、種別、性別、飼主名を会計履歴画面８０１に表示する。
【００８５】
また、会計履歴表示部１１０３は、通知された患者名の患者ＩＤを有するレコード群を診療明細管理ＤＢ２３０から抽出する。会計履歴表示部１１０３は、抽出したレコード群の診療ＩＤが一致するレコード群毎に、診療ＩＤを領収書Ｎｏとして会計履歴画面８０１に表示する。
【００８６】
また、会計履歴表示部１１０３は、抽出したレコード群の更新日を診療日として会計履歴画面８０１に表示する。これは、診療明細管理ＤＢ２３０のレコードが作成された日が、診療日であるためである。
【００８７】
また、会計履歴表示部１１０３は、抽出したレコード群の診療ＩＤが一致するレコード群毎に、割引反映計を加算する。会計履歴表示部１１０３は、抽出したレコード群の病院ＩＤが、受け付けた病院ＩＤと一致する場合、加算した割引反映計を請求金額合計として会計履歴画面８０１に表示する。
【００８８】
また、会計履歴表示部１１０３は、抽出したレコード群の診療ＩＤが一致するレコード群毎に、抽出したレコード群の病院ＩＤの病院名を会計履歴画面８０１に表示する。ここで、会計履歴表示部１１０３は、抽出したレコード群の病院ＩＤの病院名を病院管理ＤＢ２１０から抽出して、会計履歴画面８０１に表示することができる。
【００８９】
また、会計履歴表示部１１０３は、抽出したレコード群の病院ＩＤが、受け付けた病院ＩＤと一致し、抽出したレコード群の診療ＩＤの請求金額が入金されている場合、入金日を表示することができる。また、この場合、会計履歴項目８１４は、入金されていない金額を未入金として表示することができる。
【００９０】
また、会計履歴表示部１１０３は、選択された領収書Ｎｏを明細表示部１１０４に通知する。また、会計履歴表示部１１０３は、選択された領収書Ｎｏと一致するレコードの診療日を明細表示部１１０４に通知することができる。
【００９１】
また、会計履歴表示部１１０３は、領収書Ｎｏ、診療日、入金日、請求金額合計、未入金および実施病院を表示する際、診療日に基づき、時系列に並べて一覧表示することができる。また、この場合、会計履歴表示部１１０３は、診療日を降順にして、最新日付の会計データを一番上に表示することもできる。さらに、会計履歴表示部１１０３は、実施病院が同じレコードをまとめて、実施病院毎に表示することができる。
【００９２】
また、会計履歴表示部１１０３は、領収書Ｎｏ、診療日、入金日、請求金額合計、未入金および実施病院のそれぞれの項目で整列して表示させることも可能である。例えば、会計履歴表示部１１０３は、領収書Ｎｏを昇順に並べて一覧表示することができる。
【００９３】
明細表示部１１０４は、会計履歴表示部１１０３から通知された領収書Ｎｏの診療報酬明細画面９０１、１００１を表示する機能を有する。明細表示部１１０４は、通知された領収書Ｎｏを診療報酬明細画面９０１、１００１に表示する。また、明細表示部１１０４は、通知された領収書Ｎｏと一致する診療ＩＤのレコードを診療明細管理ＤＢ２３０から抽出して、作成日を診療日として診療報酬明細画面９０１、１００１に表示する。また、明細表示部１１０４は、会計履歴表示部１１０３が診療日を通知した場合、作成日を診療明細管理ＤＢ２３０から抽出することなく、通知された診療日を診療報酬明細画面９０１、１００１に表示する。
【００９４】
また、明細表示部１１０４は、診療ＩＤが、通知された領収書Ｎｏと一致するレコードの診療明細ＩＤ、診療項目、診療区分を診療報酬明細画面９０１、１００１に表示する。明細表示部１１０４は、診療ＩＤが、通知された領収書Ｎｏと一致するレコードの病院ＩＤが、受け付けた病院ＩＤと一致する場合、当該レコードの単価、数量、計、割引％、割引反映計を診療報酬明細画面９０１、１００１に表示する。ここで、明細表示部１１０４は、診療項目が薬剤である場合、数量を表示することで、何日分の薬を出したかを通知することができる。
【００９５】
また、明細表示部１１０４は、通知された患者が保険契約しているか判断し、保険契約の有無を診療報酬明細画面９０１、１００１に表示してもよい。この場合、保険契約により、割引される場合、割引％を表示して、割引後の金額を割引反映計に表示することができる。
【００９６】
また、明細表示部１１０４は、表示順に従った順序で、通知された領収書Ｎｏと一致するレコードの診療明細ＩＤ、診療項目、診療区分を診療報酬明細画面９０１、１００１に表示することができる。例えば、明細表示部１１０４は、表示順の数が小さいレコードを、表示順の数が大きいレコードよりディスプレイ３０６の上に表示することができる。
【００９７】
（会計履歴表示手順の一例）
図１２は、実施の形態にかかる会計データ表示装置１０１の会計履歴表示手順の一例を示すフローチャートである。図１２において、会計データ表示装置１０１は、病院ＩＤを受け付ける（ステップＳ１２０１）。例えば、会計データ表示装置１０１は、会計データ表示装置１０１の利用者から病院ＩＤを受け付ける。
【００９８】
会計データ表示装置１０１は、患者管理ＤＢ２２０から飼主名、カルテＮｏ、患者名、種別、品種、性別、最新来院日を抽出する（ステップＳ１２０２）。会計データ表示装置１０１は、抽出した飼主名、カルテＮｏ、患者名、種別、品種、性別、最新来院日を患者選択画面７０１に表示する（ステップＳ１２０３）。
【００９９】
会計データ表示装置１０１は、患者選択画面７０１において、患者名の選択を受け付けたか否かを判断する（ステップＳ１２０４）。患者名の選択を受け付けない場合（ステップＳ１２０４：Ｎｏ）、会計データ表示装置１０１の処理は、ステップＳ１２０４に戻る。患者名の選択を受け付けた場合（ステップＳ１２０４：Ｙｅｓ）、会計データ表示装置１０１は、受け付けた患者名のカルテＮｏ、種別、性別、飼主名を会計履歴画面８０１に表示する（ステップＳ１２０５）。
【０１００】
会計データ表示装置１０１は、受け付けた患者名の患者ＩＤを有するレコード群を診療明細管理ＤＢ２３０から抽出する（ステップＳ１２０６）。会計データ表示装置１０１は、抽出したレコード群の診療ＩＤが一致するレコード群毎に、診療ＩＤを領収書Ｎｏとして会計履歴画面８０１に表示する（ステップＳ１２０７）。会計データ表示装置１０１は、抽出したレコード群の診療ＩＤが一致するレコード群毎に、作成日を診療日として会計履歴画面８０１に表示する（ステップＳ１２０８）。
【０１０１】
会計データ表示装置１０１は、抽出したレコード群の診療ＩＤが一致するレコード群毎に、割引反映計を加算する（ステップＳ１２０９）。会計データ表示装置１０１は、抽出したレコード群の病院ＩＤが、受け付けた病院ＩＤと一致するか否かを判断する（ステップＳ１２１０）。
【０１０２】
抽出したレコード群の病院ＩＤが、受け付けた病院ＩＤと一致しない場合（ステップＳ１２１０：Ｎｏ）、会計データ表示装置１０１の処理は、ステップＳ１２１２に移行する。抽出したレコード群の病院ＩＤが、受け付けた病院ＩＤと一致する場合（ステップＳ１２１０：Ｙｅｓ）、会計データ表示装置１０１は、加算した割引反映計を請求金額合計として会計履歴画面８０１に表示する（ステップＳ１２１１）。会計データ表示装置１０１は、抽出したレコード群の診療ＩＤが一致するレコード群毎に、抽出したレコード群の病院ＩＤの病院名を会計履歴画面８０１に表示する（ステップＳ１２１２）。
【０１０３】
これにより、本フローチャートにおける一連の処理は終了する。本フローチャートを実行することで、会計データ表示装置１０１は、会計データを会計履歴画面８０１に表示することができる。また、会計データ表示装置１０１は、受け付けた病院ＩＤの病院に関する会計データでは金額を表示し、受け付けた病院ＩＤの病院以外の病院に関する会計データでは金額を表示しないことができる。
【０１０４】
（診療報酬明細表示手順の一例）
図１３は、実施の形態にかかる会計データ表示装置１０１の診療報酬明細表示手順の一例を示すフローチャートである。図１３において、会計データ表示装置１０１は、会計履歴画面８０１に表示された領収書Ｎｏの選択を受け付けたか否かを判断する（ステップＳ１３０１）。
【０１０５】
領収書Ｎｏの選択を受け付けない場合（ステップＳ１３０１：Ｎｏ）、会計データ表示装置１０１の処理は、ステップＳ１３０１に戻る。領収書Ｎｏの選択を受け付けた場合（ステップＳ１３０１：Ｙｅｓ）、会計データ表示装置１０１は、受け付けた領収書Ｎｏの診療日を取得する（ステップＳ１３０２）。会計データ表示装置１０１は、受け付けた領収書Ｎｏ、取得した診療日を診療報酬明細画面９０１、１００１に表示する（ステップＳ１３０３）。
【０１０６】
会計データ表示装置１０１は、診療明細管理ＤＢ２３０から未処理のレコードを取得する（ステップＳ１３０４）。会計データ表示装置１０１は、取得したレコードの診療ＩＤが、受け付けた領収書Ｎｏと一致するか否かを判断する（ステップＳ１３０５）。受け付けた領収書Ｎｏと一致しない場合（ステップＳ１３０５：Ｎｏ）、会計データ表示装置１０１の処理は、ステップＳ１３１０に移行する。
【０１０７】
受け付けた領収書Ｎｏと一致する場合（ステップＳ１３０５：Ｙｅｓ）、会計データ表示装置１０１は、取得したレコードの診療明細ＩＤ、診療項目、診療区分、単価、数量、計、割引％、割引反映計を取得する（ステップＳ１３０６）。会計データ表示装置１０１は、取得した診療明細ＩＤ、診療項目、診療区分を診療報酬明細画面９０１、１００１に表示する（ステップＳ１３０７）。
【０１０８】
会計データ表示装置１０１は、取得したレコードの病院ＩＤが、受け付けた病院ＩＤと一致するか否かを判断する（ステップＳ１３０８）。受け付けた病院ＩＤと一致しない場合（ステップＳ１３０８：Ｎｏ）、会計データ表示装置１０１の処理は、ステップＳ１３１０に移行する。受け付けた病院ＩＤと一致する場合（ステップＳ１３０８：Ｙｅｓ）、会計データ表示装置１０１は、取得した単価、数量、計、割引％、割引反映計を診療報酬明細画面９０１に表示する（ステップＳ１３０９）。
【０１０９】
会計データ表示装置１０１は、診療明細管理ＤＢ２３０のすべてのレコードを処理したか否かを判断する（ステップＳ１３１０）。すべてのレコードを処理しない場合（ステップＳ１３１０：Ｎｏ）、会計データ表示装置１０１の処理は、ステップＳ１３０４に戻る。すべてのレコードを処理した場合（ステップＳ１３１０：Ｙｅｓ）、会計データ表示装置１０１の処理は、終了する。
【０１１０】
これにより、本フローチャートにおける一連の処理は終了する。本フローチャートを実行することで、会計データ表示装置１０１は、会計に関するデータを診療報酬明細画面９０１、１００１に表示することができる。また、会計データ表示装置１０１は、受け付けた病院ＩＤの病院に関する会計データでは金額を表示し、受け付けた病院ＩＤの病院以外の病院に関する会計データでは金額を表示しないことができる。
【０１１１】
以上説明したように、会計データ表示装置１０１は、複数の病院を含む病院グループに属する第一の病院から第一の患者を指定する操作指示を受け付ける。受け付けたことに応じて、会計データ表示装置１０１は、病院グループに属する病院、患者および日付と対応づけられた会計に関するデータ１１１を記憶した記憶部を参照して、第一の患者と対応づけられている会計データを抽出する。会計データ表示装置１０１は、抽出した会計データのうち、第一の病院以外の病院と対応づけられた会計データについては、日付に関する項目と診察内容に関する項目を表示対象にするとともに金額に関する項目を表示対象としない。また、会計データ表示装置１０１は、抽出した会計データのうち、第一の病院と対応づけられた会計データについては、日付に関する項目と診察内容に関する項目と金額に関する項目とを表示対象とする。会計データ表示装置１０１は、表示対象とした会計データ１１２を表示する。
【０１１２】
これにより、会計データのうち、収支に関する項目を秘匿し、医者が他病院の診察内容の項目を参照できるようになる。このため、会計データ表示装置１０１を利用する医者は、診察内容に関する項目を参照することで他の病院で行われた診察を推定することができ、適切な診察を行うことができる。このため、会計データ表示装置１０１は、医療品質を向上させることができる。例えば、他の病院で行った診察内容が分かると、同じ診療を患者に対して行うことができ、医療品質を向上させることができる。また、例えば、夜間の救急病院で治療する際、救急病院の医者がかかりつけの病院の診察内容を参照することができ、医療品質を向上させることができる。
【０１１３】
また、患者は、どうぶつであることができる。これにより、会計データ表示装置１０１を利用する医者は、飼い主が過去の治療内容を知らない場合や間違えた場合でも、自分で過去の治療内容を医者に伝えることができないどうぶつに対して適切な診療を行うことができる。
【０１１４】
また、会計データ表示装置１０１は、抽出した会計データを、時系列に並べて一覧表示することができる。これにより、会計データ表示装置１０１の利用者は、患者に対して行われた診療内容を時系列に参照することができる。
【０１１５】
また、会計データ表示装置１０１は、日付を降順にして、最新日付の会計データを一番上に表示することができる。これにより、会計データ表示装置１０１の利用者は、患者に対して行われた最新の診療内容を最初に参照することができる。また、例えば、会計データ表示装置１０１は、患者の過去の治療内容のなかで、今回の診察を行うにあたり最も重要な情報である場合が多い最新の診療内容を一番上に表示することができる。
【０１１６】
また、会計データ表示装置１０１は、会計データを、病院グループに属する病院に対応してまとめて表示することができる。これにより、会計データ表示装置１０１の利用者は、患者に対して行われた診療内容を病院毎に参照することができる。また、例えば、会計データ表示装置１０１の利用者は、患者の過去の治療内容のなかで、専門とする病院の診療内容をまとめて参照することができる。
【０１１７】
なお、本実施の形態で説明した会計データ表示方法は、予め用意されたプログラムをパーソナル・コンピュータやワークステーション等のコンピュータで実行することにより実現することができる。会計データ表示プログラムは、ハードディスク、フレキシブルディスク、ＣＤ−ＲＯＭ、ＭＯ、ＤＶＤ等のコンピュータで読み取り可能な記録媒体に記録され、コンピュータによって記録媒体から読み出されることによって実行される。また、会計データ表示プログラムは、インターネット等のネットワークを介して配布してもよい。
【０１１８】
上述した実施の形態に関し、さらに以下の付記を開示する。
【０１１９】
（付記１）複数の病院を含む病院グループに属する第一の病院から第一の患者を指定する操作指示を受け付け、
前記操作指示を受け付けたことに応じて、前記病院グループに属する病院、患者および日付と対応づけられた会計に関するデータを記憶した記憶部を参照して、前記第一の患者と対応づけられている会計データを抽出し、
抽出した前記会計データのうち、前記第一の病院以外の病院と対応づけられた会計データについては、前記日付に関する項目と診察内容に関する項目を表示対象にするとともに金額に関する項目を表示対象とせず、前記第一の病院と対応づけられた会計データについては、前記日付に関する項目と診察内容に関する項目と金額に関する項目とを表示対象として、抽出した前記会計データを表示する、
処理をコンピュータが実行することを特徴とする病院の会計データ表示方法。
【０１２０】
（付記２）前記患者は、どうぶつであることを特徴とする付記１に記載の病院の会計データ表示方法。
【０１２１】
（付記３）前記表示する処理は、
抽出した前記会計データを、時系列に並べて一覧表示することを特徴とする付記１または２に記載の病院の会計データ表示方法。
【０１２２】
（付記４）前記表示する処理は、
抽出した前記会計データを、前記日付を降順にして、最新日付の会計データを一番上に表示することを特徴とする付記３に記載の病院の会計データ表示方法。
【０１２３】
（付記５）前記表示する処理は、
抽出した前記会計データを、前記病院グループに属する病院に対応してまとめて表示することを特徴とする付記１または２に記載の病院の会計データ表示方法。
【０１２４】
（付記６）前記診察内容に関する項目は、診察における診療項目であり、前記金額に関する項目は、前記診療項目に対する請求額であることを特徴とする付記１〜５のいずれか一つに記載の病院の会計データ表示方法。
【０１２５】
（付記７）複数の病院を含む病院グループに属する第一の病院から第一の患者を指定する操作指示を受け付け、
前記操作指示を受け付けたことに応じて、前記病院グループに属する病院、患者および日付と対応づけられた会計に関するデータを記憶した記憶部を参照して、前記第一の患者と対応づけられている会計データを抽出し、
抽出した前記会計データのうち、前記第一の病院以外の病院と対応づけられた会計データについては、前記日付に関する項目と診察内容に関する項目を表示対象にするとともに金額に関する項目を表示対象とせず、前記第一の病院と対応づけられた会計データについては、前記日付に関する項目と診察内容に関する項目と金額に関する項目とを表示対象として、抽出した前記会計データを表示する、
処理をコンピュータに実行させることを特徴とする病院の会計データ表示プログラム。
【０１２６】
（付記８）複数の病院を含む病院グループに属する第一の病院から第一の患者を指定する操作指示を受け付け、
前記操作指示を受け付けたことに応じて、前記病院グループに属する病院、患者および日付と対応づけられた会計に関するデータを記憶した記憶部を参照して、前記第一の患者と対応づけられている会計データを抽出し、
抽出した前記会計データのうち、前記第一の病院以外の病院と対応づけられた会計データについては、前記日付に関する項目と診察内容に関する項目を表示対象にするとともに金額に関する項目を表示対象とせず、前記第一の病院と対応づけられた会計データについては、前記日付に関する項目と診察内容に関する項目と金額に関する項目とを表示対象として、抽出した前記会計データを表示する、
処理をコンピュータに実行させる病院の会計データ表示プログラムを記録したことを特徴とする前記コンピュータに読み取り可能な記録媒体。
【０１２７】
（付記９）複数の病院を含む病院グループに属する第一の病院から第一の患者を指定する操作指示を受け付け、
前記操作指示を受け付けたことに応じて、前記病院グループに属する病院、患者および日付と対応づけられた会計に関するデータを記憶した記憶部を参照して、前記第一の患者と対応づけられている会計データを抽出し、
抽出した前記会計データのうち、前記第一の病院以外の病院と対応づけられた会計データについては、前記日付に関する項目と診察内容に関する項目を表示対象にするとともに金額に関する項目を表示対象とせず、前記第一の病院と対応づけられた会計データについては、前記日付に関する項目と診察内容に関する項目と金額に関する項目とを表示対象として、抽出した前記会計データを表示する、
制御部を有することを特徴とする病院の会計データ表示装置。
【符号の説明】
【０１２８】
１０１  会計データ表示装置
２０１  ファイルサーバ
１１０１  受付部
１１０２  抽出部
１１０３  会計履歴表示部
１１０４  明細表示部
【図１】
2016095654.tif 000003
【図２】
2016095654.tif 000004
【図３】
2016095654.tif 000005
【図４】
2016095654.tif 000006
【図５】
2016095654.tif 000007
【図６】
2016095654.tif 000008
【図７】
2016095654.tif 000009
【図８】
2016095654.tif 000010
【図９】
2016095654.tif 000011
【図１０】
2016095654.tif 000012
【図１１】
2016095654.tif 000013
【図１２】
2016095654.tif 000014
【図１３】
2016095654.tif 000015